(57)【特許請求の範囲】
【請求項１】
無線通信機能を有する通信ユニットと、ブザーを鳴動するブザーユニットとを備える通信端末であって、
前記ブザーユニットは、
少なくとも商用電源から供給された電力に基づいて充電される第１電源部と、
前記第１電源部に蓄積された電力に基づいてブザーを鳴動する鳴動部と、
を有し、
前記通信ユニットは、
少なくとも前記ブザーユニットから供給された電力に基づいて充電される第２電源部と、
前記第２電源部に蓄積された電力の残量である通信ユニット残量を検出する検出部と、
前記通信ユニットの現在位置及び現在時刻を取得する取得部と、
前記通信ユニット残量と、前記現在時刻又は前記現在位置とに基づいて、前記第１電源部から前記第２電源部に供給する電力量又は前記第２電源部から前記第１電源部に供給する電力量を制御する通信ユニット制御部と、
を有する、通信端末。
【請求項２】
前記通信ユニット制御部は、前記現在時刻が所定の時刻になった時点又は前記現在位置が所定の位置になった時点における前記通信ユニット残量が、前記通信ユニットの動作に必要な電力の残量である通信ユニット残量閾値より大きい場合に、前記第２電源部に蓄積された電力の少なくとも一部を前記第１電源部に供給する、
請求項１に記載の通信端末。
【請求項３】
前記検出部は、前記第１電源部から出力される電圧に基づいて、前記第１電源部に蓄積された電力の残量であるブザーユニット残量を検出し、
前記通信ユニット制御部は、前記現在時刻が所定の時刻になった時点又は前記現在位置が所定の位置になった時点における前記ブザーユニット残量が、前記鳴動部が前記ブザーを鳴動するために必要な電力の残量であるブザーユニット残量閾値より小さい場合、前記ブザーユニット残量が前記ブザーユニット残量閾値に達するまで、前記第２電源部に蓄積された電力を前記第１電源部に供給する、
請求項２に記載の通信端末。
【請求項４】
前記検出部は、前記第１電源部から出力される電圧に基づいて、前記第１電源部に蓄積された電力の残量であるブザーユニット残量を検出し、
前記通信ユニット制御部は、前記現在時刻が所定の時刻になった時点又は前記現在位置が所定の位置になった時点における前記ブザーユニット残量が、前記鳴動部が前記ブザーを鳴動するために必要な電力の残量であるブザーユニット残量閾値より大きい場合、前記ブザーユニット残量が前記ブザーユニット残量閾値以上に維持される範囲で、前記第１電源部に蓄積された電力を前記第２電源部に供給する、
請求項１から３のいずれか１項に記載の通信端末。
【請求項５】
前記通信ユニット制御部は、前記現在時刻が前記所定の時刻になった時点又は前記現在位置が前記所定の位置になった時点における前記通信ユニット残量が、前記現在時刻又は前記現在位置に対応する、前記通信ユニットの動作に必要な電力の残量である通信ユニット残量閾値より小さい場合に、前記第１電源部に蓄積された電力を前記第２電源部に供給する、
請求項４に記載の通信端末。
【請求項６】
前記通信ユニット制御部は、前記通信端末のユーザのスケジュールを示すスケジュール情報を受信し、前記スケジュール情報が示す前記通信端末のユーザの行動予定と前記現在時刻又は前記現在位置とに基づいて、前記第１電源部から前記第２電源部に供給する電力量又は前記第２電源部から前記第１電源部に供給する電力量を制御する、
請求項１から５のいずれか１項に記載の通信端末。
【請求項７】
前記通信ユニットは、情報を表示する表示部をさらに有し、
前記検出部は、前記第１電源部から出力される電圧に基づいて、前記第１電源部に蓄積された電力の残量であるブザーユニット残量を検出し、
前記通信ユニット制御部は、前記通信ユニット残量及び前記ブザーユニット残量を前記表示部に表示させる、
請求項１から６のいずれか１項に記載の通信端末。
【請求項８】
前記通信ユニット制御部は、前記第１電源部から前記第２電源部に供給される電力量又は前記第２電源部から前記第１電源部に供給される電力量に基づいて、前記通信ユニット残量及び前記ブザーユニット残量の変化状況を前記表示部に表示させる、
請求項７に記載の通信端末。
【請求項９】
前記ブザーユニットは、前記第１電源部から前記第２電源部に供給する電力量を制御するブザーユニット制御部をさらに有する、
請求項１から８のいずれか１項に記載の通信端末。
【請求項１０】
前記ブザーユニット制御部は、前記通信ユニット残量が、前記通信ユニットを動作させることができる電力量に満たない状態において前記鳴動部が前記ブザーを鳴動する場合に、前記第１電源部から前記第２電源部に電力を供給し、
前記通信ユニット制御部は、前記第１電源部から供給された電力を用いて所定の宛先にメッセージを送信する、
請求項９に記載の通信端末。
【請求項１１】
前記通信ユニットは、通信回線を介して、前記通信ユニット残量、及び前記第１電源部に蓄積された電力の残量であるブザーユニット残量を外部通信端末に送信し、前記外部通信端末において設定された、前記第１電源部から前記第２電源部に供給する電力量又は前記第２電源部から前記第１電源部に供給する電力量の制御に用いられる制御情報を受信する通信部をさらに有し、
前記通信ユニット制御部は、前記通信部が受信した前記制御情報に基づいて、前記第１電源部から前記第２電源部に供給する電力量又は前記第２電源部から前記第１電源部に供給する電力量を制御する、
請求項１から１０のいずれか１項に記載の通信端末。
【請求項１２】
無線通信機能を有する通信ユニットであって、
ブザーユニットから供給された電力に基づいて充電される電源部と、
前記電源部に蓄積された電力の残量である通信ユニット残量を検出する検出部と、
前記通信ユニットの現在位置及び現在時刻を取得する取得部と、
前記通信ユニット残量と、前記現在時刻又は前記現在位置とに基づいて、前記ブザーユニットから前記電源部に供給する電力量又は前記電源部から前記ブザーユニットに供給する電力量を制御する制御部と、
を有する、通信ユニット。
【請求項１３】
無線通信機能を有する通信ユニットと、ブザーを鳴動するための電力が充電される第１電源部を有するブザーユニットとを備える通信端末において実行される電力量制御方法であって、
前記通信ユニットが有する、少なくとも前記ブザーユニットから供給された電力に基づいて充電される第２電源部に蓄積された電力の残量である通信ユニット残量を検出するステップと、
前記通信ユニットの現在位置及び現在時刻を取得するステップと、
前記通信ユニット残量と、前記現在時刻又は前記現在位置とに基づいて、前記第１電源部から前記第２電源部に供給する電力量又は前記第２電源部から前記第１電源部に供給する電力量を制御するステップと、
を有する、電力量制御方法。
【請求項１４】
無線通信機能を有する通信ユニットと、ブザーを鳴動するブザーユニットとを備える通信端末と、通信回線を介して前記通信端末と通信可能に接続された外部通信端末とを備える通信システムであって、
前記ブザーユニットは、
少なくとも商用電源から供給された電力に基づいて充電される第１電源部と、
前記第１電源部に蓄積された電力に基づいてブザーを鳴動する鳴動部と、
を有し、
前記通信ユニットは、
少なくとも前記ブザーユニットから供給された電力に基づいて充電される第２電源部と、
前記第２電源部に蓄積された電力の残量である通信ユニット残量を検出する検出部と、
前記通信ユニットの現在位置及び現在時刻を取得する取得部と、
前記現在時刻が所定の時刻になった時点又は前記現在位置が所定の位置になった時点において、通信回線を介して、前記通信ユニット残量を前記外部通信端末に送信し、前記外部通信端末において設定された、前記第１電源部から前記第２電源部に供給する電力量又は前記第２電源部から前記第１電源部に供給する電力量の制御に用いられる制御情報を受信する通信部と、
前記通信部が受信した前記制御情報に基づいて、前記第１電源部から前記第２電源部に供給する電力量又は前記第２電源部から前記第１電源部に供給する電力量を制御する通信ユニット制御部と、
を有し、
前記外部通信端末は、
前記通信ユニット残量を受信すると、前記制御情報を生成して前記通信端末に送信する生成部を有する、
通信システム。
【発明の詳細な説明】
【技術分野】
【０００１】
本発明は、通信端末、通信ユニット、電力量制御方法及び通信システムに関する。
【背景技術】
【０００２】
従来の通信端末は内部バッテリを備えており、充電器に通信端末を装着することで、当該内部バッテリに対して充電可能な量だけ充電される（例えば、特許文献１参照）。
【先行技術文献】
【特許文献】
【０００３】
【特許文献１】特開２００７−２２７２１３号公報
【発明の概要】
【発明が解決しようとする課題】
【０００４】
ところで、通信端末には、子供の防犯用として、ブザーを鳴動するとともに、外部との無線通信を行うものがある。しかしながら、通信端末は、腕時計等のように体に装着するものではないため、通信端末のユーザが、カバンの中に入れた状態で持ち運ぶことがある。このため、通信端末が、ユーザの親からのメッセージを通信端末が受信した場合であっても、ユーザが当該メッセージに気付かないことがあった。
【０００５】
そこで、通信端末の少なくとも一部を分離して、体に装着できるようにすることが考えられる。例えば、通信端末を、ブザーを鳴動するブザーユニットと、体に装着可能な通信ユニットとに分離可能とし、それぞれのユニットを独立して動作可能とするために、それぞれのユニットに対して二次電池を設けることが考えられる。
【０００６】
ここで、ブザーユニットの電池残量が不十分となると、通信ユニットの電池残量に余裕がある場合であっても、ブザーを鳴動させることができない。したがって、通信端末の全体としては電池残量があるにもかかわらず、ブザーユニットの電池残量が不十分であることにより、子供の帰宅途中等のブザーが鳴動する可能性が高い場面においてブザーを鳴動させることができなくなってしまうという問題がある。
【０００７】
そこで、本発明はこれらの点に鑑みてなされたものであり、ブザーが鳴動する可能性が高い時間又は場所において、ブザーを鳴動させるための電力を確保することができる通信端末、通信ユニット、電力量制御方法及び通信システムを提供することを目的とする。
【課題を解決するための手段】
【０００８】
本発明の第１の態様に係る通信端末は、無線通信機能を有する通信ユニットと、ブザーを鳴動するブザーユニットとを備える通信端末であって、前記ブザーユニットは、少なくとも商用電源から供給された電力に基づいて充電される第１電源部と、前記第１電源部に蓄積された電力に基づいてブザーを鳴動する鳴動部と、を有し、前記通信ユニットは、少なくとも前記ブザーユニットから供給された電力に基づいて充電される第２電源部と、前記第２電源部に蓄積された電力の残量である通信ユニット残量を検出する検出部と、前記通信ユニットの現在位置及び現在時刻を取得する取得部と、前記通信ユニット残量と、前記現在時刻又は前記現在位置とに基づいて、前記第１電源部から前記第２電源部に供給する電力量又は前記第２電源部から前記第１電源部に供給する電力量を制御する通信ユニット制御部と、を有する。
【０００９】
前記通信ユニット制御部は、前記現在時刻が所定の時刻になった時点又は前記現在位置が所定の位置になった時点における前記通信ユニット残量が、前記通信ユニットの動作に必要な電力の残量である通信ユニット残量閾値より大きい場合に、前記第２電源部に蓄積された電力の少なくとも一部を前記第１電源部に供給してもよい。
【００１０】
前記検出部は、前記第１電源部から出力される電圧に基づいて、前記第１電源部に蓄積された電力の残量であるブザーユニット残量を検出し、前記通信ユニット制御部は、前記現在時刻が所定の時刻になった時点又は前記現在位置が所定の位置になった時点における前記ブザーユニット残量が、前記鳴動部が前記ブザーを鳴動するために必要な電力の残量であるブザーユニット残量閾値より小さい場合、前記ブザーユニット残量が前記ブザーユニット残量閾値に達するまで、前記第２電源部に蓄積された電力を前記第１電源部に供給してもよい。
【００１１】
前記検出部は、前記第１電源部から出力される電圧に基づいて、前記第１電源部に蓄積された電力の残量であるブザーユニット残量を検出し、前記通信ユニット制御部は、前記現在時刻が所定の時刻になった時点又は前記現在位置が所定の位置になった時点における前記ブザーユニット残量が、前記鳴動部が前記ブザーを鳴動するために必要な電力の残量であるブザーユニット残量閾値より大きい場合、前記ブザーユニット残量が前記ブザーユニット残量閾値以上に維持される範囲で、前記第１電源部に蓄積された電力を前記第２電源部に供給してもよい。
【００１２】
前記通信ユニット制御部は、前記現在時刻が前記所定の時刻になった時点又は前記現在位置が前記所定の位置になった時点における前記通信ユニット残量が、前記現在時刻又は前記現在位置に対応する、前記通信ユニットの動作に必要な電力の残量である通信ユニット残量閾値より小さい場合に、前記第１電源部に蓄積された電力を前記第２電源部に供給してもよい。
【００１３】
前記通信ユニット制御部は、前記通信端末のユーザのスケジュールを示すスケジュール情報を受信し、前記スケジュール情報が示す前記通信端末のユーザの行動予定と前記現在時刻又は前記現在位置とに基づいて、前記第１電源部から前記第２電源部に供給する電力量又は前記第２電源部から前記第１電源部に供給する電力量を制御してもよい。
【００１４】
前記通信ユニットは、情報を表示する表示部をさらに有し、前記検出部は、前記第１電源部から出力される電圧に基づいて、前記第１電源部に蓄積された電力の残量であるブザーユニット残量を検出し、前記通信ユニット制御部は、前記通信ユニット残量及び前記ブザーユニット残量を前記表示部に表示させてもよい。
【００１５】
前記通信ユニット制御部は、前記第１電源部から前記第２電源部に供給される電力量又は前記第２電源部から前記第１電源部に供給される電力量に基づいて、前記通信ユニット残量及び前記ブザーユニット残量の変化状況を前記表示部に表示させてもよい。
【００１６】
前記ブザーユニットは、前記第１電源部から前記第２電源部に供給する電力量を制御するブザーユニット制御部をさらに有してもよい。
前記ブザーユニット制御部は、前記通信ユニット残量が、前記通信ユニットを動作させることができる電力量に満たない状態において前記鳴動部が前記ブザーを鳴動する場合に、前記第１電源部から前記第２電源部に電力を供給し、前記通信ユニット制御部は、前記第１電源部から供給された電力を用いて所定の宛先にメッセージを送信してもよい。
【００１７】
前記通信ユニットは、通信回線を介して、前記通信ユニット残量、及び前記第１電源部に蓄積された電力の残量であるブザーユニット残量を外部通信端末に送信し、前記外部通信端末において設定された、前記第１電源部から前記第２電源部に供給する電力量又は前記第２電源部から前記第１電源部に供給する電力量の制御に用いられる制御情報を受信する通信部をさらに有し、前記通信ユニット制御部は、前記通信部が受信した前記制御情報に基づいて、前記第１電源部から前記第２電源部に供給する電力量又は前記第２電源部から前記第１電源部に供給する電力量を制御してもよい。
【００１８】
本発明の第２の態様に係る通信ユニットは、無線通信機能を有する通信ユニットであって、ブザーユニットから供給された電力に基づいて充電される電源部と、前記電源部に蓄積された電力の残量である通信ユニット残量を検出する検出部と、前記通信ユニットの現在位置及び現在時刻を取得する取得部と、前記通信ユニット残量と、前記現在時刻又は前記現在位置とに基づいて、前記ブザーユニットから前記電源部に供給する電力量又は前記電源部から前記ブザーユニットに供給する電力量を制御する制御部と、を有する。
【００１９】
本発明の第３の態様に係る電力量制御方法は、無線通信機能を有する通信ユニットと、ブザーを鳴動するための電力が充電される第１電源部を有するブザーユニットとを備える通信端末において実行される電力量制御方法であって、前記通信ユニットが有する、少なくとも前記ブザーユニットから供給された電力に基づいて充電される第２電源部に蓄積された電力の残量である通信ユニット残量を検出するステップと、前記通信ユニットの現在位置及び現在時刻を取得するステップと、前記通信ユニット残量と、前記現在時刻又は前記現在位置とに基づいて、前記第１電源部から前記第２電源部に供給する電力量又は前記第２電源部から前記第１電源部に供給する電力量を制御するステップと、を有する。
【００２０】
本発明の第４の態様に係る通信システムは、無線通信機能を有する通信ユニットと、ブザーを鳴動するブザーユニットとを備える通信端末と、通信回線を介して前記通信端末と通信可能に接続された外部通信端末とを備える通信システムであって、前記ブザーユニットは、少なくとも商用電源から供給された電力に基づいて充電される第１電源部と、前記第１電源部に蓄積された電力に基づいてブザーを鳴動する鳴動部と、を有し、前記通信ユニットは、少なくとも前記ブザーユニットから供給された電力に基づいて充電される第２電源部と、前記第２電源部に蓄積された電力の残量である通信ユニット残量を検出する検出部と、前記通信ユニットの現在位置及び現在時刻を取得する取得部と、前記現在時刻が所定の時刻になった時点又は前記現在位置が所定の位置になった時点において、通信回線を介して、前記通信ユニット残量を前記外部通信端末に送信し、前記外部通信端末において設定された、前記第１電源部から前記第２電源部に供給する電力量又は前記第２電源部から前記第１電源部に供給する電力量の制御に用いられる制御情報を受信する通信部と、前記通信部が受信した前記制御情報に基づいて、前記第１電源部から前記第２電源部に供給する電力量又は前記第２電源部から前記第１電源部に供給する電力量を制御する通信ユニット制御部と、を有し、前記外部通信端末は、前記通信ユニット残量を受信すると、前記制御情報を生成して前記通信端末に送信する生成部を有する。
【発明の効果】
【００２１】
本発明によれば、ブザーが鳴動する可能性が高い時間又は場所において、ブザーを鳴動させるための電力を確保することができるという効果を奏する。
【図面の簡単な説明】
【００２２】
【図１】第１の実施形態に係る通信端末の外観を示す図である。
【図２】通信ユニットを単体で使用した例を示す図である。
【図３】第１の実施形態に係る通信端末の構成を示す図である。
【図４】第１電源部に蓄積された電力を第２電源部に供給する例を説明する図である。
【図５】第２電源部に蓄積された電力を第１電源部に供給する例を説明する図である。
【図６】通信ユニットの表示部に通信ユニット残量及びブザーユニット残量が表示された例を示す図である。
【図７】充電制御に係る処理の流れを示すフローチャートである。
【図８】第２の実施形態に係る通信端末の構成を示す図である。
【図９】第３の実施形態に係る通信システムの構成を示す図である。
【発明を実施するための形態】
【００２３】
＜第１の実施形態＞
［通信端末１の概要］
図１は、第１の実施形態に係る通信端末１の外観を示す図である。通信端末１は、例えば防犯用として、親が子供に携帯させる端末であり、ブザーを鳴動可能なブザーユニット１０と、無線通信機能を有する通信ユニット２０とを備える。通信ユニット２０は、図２に示すように、腕時計としても利用することができる。通信ユニット２０を通信端末１の一部として利用する場合には、ユーザは、通信ユニット２０を腕時計のバンドから取り外して、ブザーユニット１０に装着する。
【００２４】
ブザーユニット１０には、図１に示すように、ストラップ１５が連結されている。ブザーユニット１０は、ストラップ１５が引っ張られたことを検出するとブザーを鳴動する。ブザーユニット１０は、商用電源又は通信ユニット２０から供給される電力を充電可能であるとともに、蓄積された電力を通信ユニット２０に供給することが可能である。
【００２５】
通信ユニット２０は、ユーザ（子供）の操作に応じて、無線通信機能により、親と通話したりメールを送受信したりすることができる。また、通信ユニット２０は、自身の現在位置を示す位置情報を親が所持する端末に通知することができる。また、通信ユニット２０は、ブザーユニット１０がブザーを鳴動したことを検知すると、ブザーが鳴動した旨を示す情報と、現在位置を示す位置情報とを含むメッセージを親の端末や警備会社のサーバに通知することができる。
【００２６】
通信ユニット２０は、商用電源又はブザーユニット１０から供給される電力を充電可能であるとともに、蓄積された電力をブザーユニット１０に供給することが可能である。また、通信ユニット２０は、自身に蓄積された電力の残量である通信ユニット残量を検出し、当該通信ユニット残量と、現在時刻又は自身の現在位置とに基づいて、通信ユニット２０からブザーユニット１０への電力の供給、又はブザーユニット１０から通信ユニット２０への電力の供給を制御する。例えば、通信ユニット２０は、現在時刻がユーザの帰宅開始時刻（所定の時刻）になった時点又は現在位置がユーザの帰宅時の通過位置（所定の位置）になった時点で、通信ユニット残量が通信ユニット２０の動作に必要な電力の残量よりも大きい場合に、通信ユニット２０に蓄積された電力の少なくとも一部をブザーユニット１０に供給する。このようにすることで、通信端末１は、ブザーが鳴動する可能性が高い時間又は場所において、ブザーを鳴動させるための電力を確保することができる。
【００２７】
［通信端末１の構成］
続いて、図３を参照して、通信端末１の構成及び機能について説明する。図３は、第１の実施形態に係る通信端末１の構成を示す図である。
通信端末１は、ブザーユニット１０と、通信ユニット２０とを備える。
【００２８】
ブザーユニット１０は、第１電源部１１と、鳴動部１２とを備える。
第１電源部１１は、例えば二次電池を有しており、ブザーユニット１０を構成する各種部品に電力を供給する。第１電源部１１は、少なくとも商用電源から供給された電力に基づいて充電される。例えば、第１電源部１１は、商用電源に接続されるＡＣアダプタを介して、商用電源から供給された電力に基づいて充電される。また、第１電源部１１は、ＵＳＢ（Universal Serial Bus）の給電仕様に従って、ＵＳＢインターフェイスを介して接続された通信ユニット２０から供給された電力に基づいて充電される。また、第１電源部１１は、通信ユニット２０の制御に従って、蓄積された電力を通信ユニット２０に供給する。
【００２９】
鳴動部１２は、ブザー１２１と、検出部１２２と、鳴動制御部１２３とを備える。検出部１２２は、ストラップ１５が所定の強さ以上で引っ張られたことを検出する。鳴動制御部１２３は、ストラップ１５が所定の強さ以上で引っ張られたことを検出部１２２が検出したことに応じて、第１電源部１１に蓄積された電力に基づいてブザー１２１を鳴動させる。
【００３０】
通信ユニット２０は、第２電源部２１と、充電切替部２２と、表示部２３と、入力部２４と、無線部２５と、記憶部２６と、取得部２７と、検出部２８と、通信ユニット制御部２９とを備える。
【００３１】
第２電源部２１は、例えば二次電池を有しており、通信ユニット２０を構成する各種部品に電力を供給する。第２電源部２１は、少なくともブザーユニット１０から供給された電力に基づいて充電される。例えば、第２電源部２１は、ＵＳＢの給電仕様に従って、ＵＳＢインターフェイスを介して接続されたブザーユニット１０から供給された電力に基づいて充電される。また、第２電源部２１は、商用電源に接続されるＡＣアダプタを介して、商用電源から供給された電力に基づいて充電される。また、第２電源部２１は、通信ユニット制御部２９の制御に従って、蓄積された電力をブザーユニット１０に供給する。
【００３２】
充電切替部２２は、通信ユニット制御部２９の制御に応じて、第１電源部１１から第２電源部２１に電力を供給するか、第２電源部２１から第１電源部１１に電力を供給するかを切り替える。例えば、充電切替部２２は、第１電源部１１から第２電源部２１に電力を供給するための第１回路と、第２電源部２１から第１電源部１１に電力を供給するための第２回路と、第１回路及び第２回路を切り替えるスイッチ回路とを備える。第１電源部１１及び第２電源部２１は、第１回路又は第２回路を介して電気的に接続される。充電切替部２２は、通信ユニット制御部２９の制御に応じてスイッチ回路を動作させることにより、第１電源部１１及び第２電源部２１に接続させる回路を、第１回路にするか、第２回路にするかを切り替える。
【００３３】
表示部２３は、例えば、液晶ディスプレイや有機ＥＬ（Electro-Luminescence）ディスプレイ等により構成される。表示部２３は、通信ユニット制御部２９の制御に応じて各種情報を表示する。
入力部２４は、例えば、ボタンや、表示部２３に重畳して配置されるタッチパネル等により構成されており、通信端末１のユーザから操作入力を受け付ける。
【００３４】
無線部２５は、外部と無線通信するための無線通信インターフェイスであり、変復調回路、高周波回路及びアンテナを含んでいる。無線部２５は、通信ユニット制御部２９の制御に応じて、通信端末１の位置情報や、ユーザが入力したメッセージ等を、ユーザの親の端末等に送信する。
記憶部２６は、例えば、ＲＯＭ及びＲＡＭ等により構成される。記憶部２６は、通信端末１を機能させるための各種プログラムを記憶する。
【００３５】
取得部２７は、通信ユニット２０の現在位置及び現在時刻を取得する。具体的には、取得部２７は、現在時刻を定期的（例えば、１分おき）に取得するとともに、通信ユニット２０に内蔵されているＧＰＳ機能を利用して、通信ユニット２０の現在の位置を示す位置情報を定期的に取得する。
【００３６】
検出部２８は、通信ユニット制御部２９の制御に応じて第２電源部２１から出力される電圧の電圧値を測定し、当該電圧値に基づいて、第２電源部２１に蓄積された電力の残量である通信ユニット残量を検出する。また、検出部２８は、通信ユニット制御部２９の制御に応じて、第１電源部１１から出力される電圧の電圧値を測定し、当該電圧値に基づいて、第１電源部１１に蓄積された電力の残量であるブザーユニット残量を検出する。なお、検出部２８は、第１電源部１１又は第２電源部２１から出力される電流の電流値を測定し、当該電流値に基づいて、通信ユニット残量又はブザーユニット残量を検出してもよい。
【００３７】
通信ユニット制御部２９は、通信ユニット残量と、ブザーユニット残量と、現在時刻又は通信ユニット２０の現在位置とに基づいて、充電切替部２２のスイッチの切り替えを制御することにより、第１電源部１１から第２電源部２１に供給する電力量又は第２電源部２１から第１電源部１１に供給する電力量を制御する。
【００３８】
［通信ユニット２０の充電］
まず、通信ユニット制御部２９の制御により、ブザーユニット１０から通信ユニット２０に充電する例について説明する。
具体的には、通信ユニット制御部２９は、取得部２７が取得した現在時刻が所定の時刻になった時点、又は取得部２７が取得した現在位置が所定の位置になった時点において、検出部２８に通信ユニット残量及びブザーユニット残量を検出させる。
【００３９】
ここで、所定の時刻は、例えば、通信端末１のユーザが、学校や塾から帰宅を開始する帰宅開始時刻である。また、所定の位置は、例えば、通信端末１のユーザが学校や塾から帰宅する際に通過する帰宅時通過位置である。帰宅時通過位置は、例えば、学校や塾の近くの駅やバス停である。帰宅開始時刻及び帰宅時通過位置を示す情報は、記憶部２６に予め記憶されているものとする。
【００４０】
通信ユニット制御部２９は、ブザーユニット残量が、鳴動部１２がブザーを鳴動するために必要な電力の残量であるブザーユニット残量閾値より大きい場合、ブザーユニット残量がブザーユニット残量閾値以上に維持される範囲で、第１電源部１１に蓄積された電力を第２電源部２１に供給する。ここで、ブザーユニット残量閾値は、ユーザが帰宅するまでの間に、鳴動部１２がブザーを鳴動させることが可能なブザーユニット残量の最小量である。ブザーユニット残量閾値は、ユーザが帰宅に要する時間によって変化することから、現在時刻又は現在位置に対応して変化する。
【００４１】
図４は、第１電源部１１に蓄積された電力を第２電源部２１に供給する例を説明する図である。まず、図４（ａ）を参照して、ブザーユニット残量に基づいて、第１電源部１１に蓄積された電力を第２電源部２１に供給する例について説明する。
【００４２】
例えば、通信ユニット制御部２９は、現在位置と自宅の位置とに基づいて、ユーザが現在位置から自宅に到着するまでの移動時間Ｔｔを推定する。続いて、通信ユニット制御部２９は、現在時刻Ｔｎから移動時間Ｔｔが経過した時刻（自宅への到着時刻）Ｔａにおけるブザーユニット残量閾値ＴＨＢａを特定する。
【００４３】
続いて、通信ユニット制御部２９は、自宅への到着時刻Ｔａにおけるブザーユニット残量閾値ＴＨＢａと、移動時のブザーユニット残量の減少量とに基づいて、現在時刻Ｔｎにおけるブザーユニット残量閾値ＴＨＢｎを算出する。図４（ａ）では、直線Ｌｂが、それぞれの時刻におけるブザーユニット残量閾値を示している。
【００４４】
通信ユニット制御部２９は、現在時刻Ｔｎにおけるブザーユニット残量Ｂｎと、ブザーユニット残量閾値ＴＨＢｎとに基づいて、ブザーユニット１０が供給可能な電力量を算出し、当該電力量を限度として、第１電源部１１に蓄積された電力を第２電源部２１に供給する。図４（ａ）に示す例では、通信ユニット制御部２９は、現在のブザーユニット残量Ｂｎからブザーユニット残量閾値ＴＨＢｎを減算して得られる電力量を限度として、第１電源部１１に蓄積された電力を第２電源部２１に供給する。
【００４５】
通信ユニット制御部２９は、現在時刻が所定の時刻になった時点、又は現在位置が所定の位置になった時点で、通信ユニット残量が、現在時刻又は現在位置に対応する通信ユニット残量閾値より小さい場合に、第１電源部１１に蓄積された電力を第２電源部２１に供給してもよい。ここで、通信ユニット残量閾値は、ユーザが帰宅するまでの間に、通信ユニット２０が、通話やメールの動作に最低限必要とする電力の残量である。通信ユニット残量閾値は、ブザーユニット残量閾値と同様に、ユーザが帰宅に要する時間によって変化することから、現在時刻又は現在位置に対応して変化する。
【００４６】
続いて、図４（ｂ）を参照して、通信ユニット残量に基づいて、第１電源部１１に蓄積された電力を第２電源部２１に供給する例について説明する。通信ユニット制御部２９は、図４（ａ）に示す例と同様に、現在位置と自宅の位置とに基づいて、ユーザが現在位置から自宅に到着するまでの移動時間Ｔｔを推定する。続いて、通信ユニット制御部２９は、自宅への到着時刻Ｔａにおける通信ユニット残量閾値ＴＨＣａを特定する。
【００４７】
続いて、通信ユニット制御部２９は、自宅への到着時刻Ｔａにおける通信ユニット残量閾値ＴＨＣａと、移動時の通信ユニット残量の減少量とに基づいて、現在時刻Ｔｎにおける通信ユニット残量閾値ＴＨＣｎを算出する。図４（ｂ）では、直線Ｌｃが、それぞれの時刻における通信ユニット残量閾値を示している。
【００４８】
通信ユニット制御部２９は、現在時刻Ｔｎにおける通信ユニット残量Ｃｎと、現在時刻Ｔｎにおける通信ユニット残量閾値ＴＨＣｎとに基づいて、通信ユニット２０が必要とする電力量を算出し、当該電力量に基づいて、第１電源部１１に蓄積された電力を第２電源部２１に供給する。図４（ｂ）に示す例では、通信ユニット制御部２９は、現在の通信ユニット残量閾値ＴＨＣｎから、現在の通信ユニット残量Ｃｎを減算して得られる電力量以上の電力を、第１電源部１１から第２電源部２１に供給させる。このようにすることで、通信端末１は、ユーザが帰宅するまでの間に、メールや通話ができなくなることを防止することができる。
【００４９】
なお、通信ユニット制御部２９は、通信ユニット２０が必要とする電力量が、ブザーユニット１０が供給可能な電力量を上回る場合には、ブザーユニット１０が供給可能な電力量を限度として、第１電源部１１に蓄積された電力を第２電源部２１に供給してもよい。
【００５０】
［ブザーユニット１０の充電］
続いて、通信ユニット制御部２９の制御により、通信ユニット２０からブザーユニット１０に充電する例について説明する。
通信ユニット制御部２９は、現在時刻が所定の時刻になった時点又は現在位置が所定の位置になった時点における通信ユニット残量が、通信ユニット残量閾値より大きい場合に、第２電源部２１に蓄積された電力の少なくとも一部を第１電源部１１に供給する。ここで、通信ユニット制御部２９は、現在時刻が所定の時刻になった時点又は現在位置が所定の位置になった時点で、ブザーユニット残量が、ブザーユニット残量閾値よりも小さい場合に、ブザーユニット残量がブザーユニット残量閾値に達するまで、第２電源部２１に蓄積された電力の少なくとも一部を第１電源部１１に供給してもよい。
【００５１】
図５は、第２電源部２１に蓄積された電力を第１電源部１１に供給する例を説明する図である。
図５（ａ）に示すように、現在時刻Ｔｎにおけるブザーユニット残量Ｂｎが、現在時刻Ｔｎにおけるブザーユニット残量閾値ＴＨＢｎよりも小さい場合、通信ユニット制御部２９は、現在時刻Ｔｎにおけるブザーユニット残量Ｂｎと、ブザーユニット残量閾値ＴＨＢｎとに基づいて、ブザーユニット１０が必要とする電力量を算出する。具体的には、通信ユニット制御部２９は、ブザーユニット残量閾値ＴＨＢｎから現在のブザーユニット残量Ｂｎを減算して得られる電力量を、ブザーユニット１０が必要とする電力量として算出する。
【００５２】
続いて、図５（ｂ）に示すように、現在時刻Ｔｎにおける通信ユニット残量Ｃｎが、現在時刻Ｔｎにおける通信ユニット残量閾値ＴＨＣｎよりも大きい場合、通信ユニット制御部２９は、現在時刻Ｔｎにおける通信ユニット残量Ｃｎと、通信ユニット残量閾値ＴＨＣｎとに基づいて、通信ユニット２０が供給可能な電力量を算出する。具体的には、通信ユニット制御部２９は、通信ユニット残量Ｃｎから、通信ユニット残量閾値ＴＨＣｎを減算して得られる電力量を、通信ユニット２０が供給可能な電力量として算出する。
【００５３】
通信ユニット制御部２９は、通信ユニット２０が供給可能な電力量が、ブザーユニット１０が必要とする電力量よりも大きい場合には、ブザーユニット１０が必要とする電力量に基づいて、第２電源部２１に蓄積された電力を第１電源部１１に供給する。
【００５４】
また、通信ユニット制御部２９は、通信ユニット２０が供給可能な電力量が、ブザーユニット１０が必要とする電力量以下の場合には、通信ユニット２０が供給可能な電力量を限度として、第２電源部２１に蓄積された電力を第１電源部１１に供給する。このようにすることで、通信端末１は、ユーザが帰宅するまでの間に確実にブザーを鳴動させることができる。
【００５５】
［通信ユニット残量及びブザーユニット残量の表示］
通信ユニット制御部２９は、通信ユニット残量及びブザーユニット残量を、通信ユニット２０の表示部２３に表示させる。図６は、表示部２３に、通信ユニット残量及びブザーユニット残量が表示された例を示す図である。図６に示す例では、通信ユニット残量及びブザーユニット残量が、それぞれ、通信ユニット２０及びブザーユニット１０の充電容量に対する割合で表示されていることが確認できる。また、図６に示す例では、充電元（通信ユニット２０）と、充電先（ブザーユニット１０）とが矢印で示されていることが確認できる。
【００５６】
また、通信ユニット制御部２９は、第１電源部１１から第２電源部２１に供給される電力量、又は第２電源部２１から第１電源部１１に供給される電力量に基づいて、通信ユニット残量及びブザーユニット残量の変化状況を表示部２３に表示させてもよい。例えば、通信ユニット制御部２９は、図６に示す例において、百分率で表示されている通信ユニット残量及びブザーユニット残量をリアルタイムに更新してもよい。このようにすることで、ユーザは、通信ユニット残量及びブザーユニット残量をリアルタイムに把握することができる。
【００５７】
［フローチャート］
続いて、通信ユニット２０における充電制御に係る処理の流れについて説明する。図７は、充電制御に係る処理の流れを示すフローチャートである。
まず、取得部２７は、現在時刻及び通信ユニット２０の現在位置を示す位置情報を取得する（Ｓ１）。
【００５８】
続いて、通信ユニット制御部２９は、現在時刻が帰宅開始時刻（所定の時刻）、又は現在位置が帰宅時通過位置（所定の位置）であるか否かを判定する（Ｓ２）。通信ユニット制御部２９は、現在時刻が帰宅開始時刻、又は現在位置が帰宅時通過位置である場合に、Ｓ３に処理を移し、現在時刻が帰宅開始時刻ではなく、現在位置が帰宅時通過位置でもない場合、Ｓ１に処理を移す。
【００５９】
続いて、通信ユニット制御部２９は、検出部２８を制御して、通信ユニット残量及びブザーユニット残量を取得する（Ｓ３）。
続いて、通信ユニット制御部２９は、ブザーユニット残量が、ブザーユニット残量閾値よりも大きいか否かを判定する（Ｓ４）。通信ユニット制御部２９は、ブザーユニット残量が、ブザーユニット残量閾値よりも大きいと判定すると、Ｓ５に処理を移し、ブザーユニット残量が、ブザーユニット残量閾値以下と判定すると、Ｓ７に処理を移す。
【００６０】
続いて、通信ユニット制御部２９は、通信ユニット残量が、通信ユニット残量閾値よりも小さいか否かを判定する（Ｓ５）。通信ユニット制御部２９は、通信ユニット残量が通信ユニット残量よりも小さく、帰宅する前に通信ユニット２０が動作不可能になると判定すると、Ｓ６に処理を移す。通信ユニット制御部２９は、通信ユニット残量閾値以上であり、帰宅する時点でも通信ユニット２０が動作可能であると判定すると、通信ユニット２０に対して充電せずに本フローチャートに係る処理を終了する。
通信ユニット制御部２９は、Ｓ６において、第１電源部１１に蓄積された電力を第２電源部２１に供給することにより、通信ユニット２０に充電する。
【００６１】
通信ユニット制御部２９は、Ｓ７において、通信ユニット残量が、通信ユニット残量閾値よりも大きいか否かを判定する。通信ユニット制御部２９は、通信ユニット残量が、通信ユニット残量閾値よりも大きいと判定すると、Ｓ８に処理を移す。通信ユニット制御部２９は、通信ユニット残量が、通信ユニット残量閾値以下と判定すると、ブザーユニット１０に対して充電せずに本フローチャートの処理を終了する。
通信ユニット制御部２９は、第２電源部２１に蓄積された電力を第１電源部１１に供給することにより、ブザーユニット１０に充電する（Ｓ８）。
【００６２】
なお、上述したフローチャートでは、Ｓ７において、通信ユニット残量が、通信ユニット残量閾値以下の場合に、ブザーユニット１０に充電しないこととしたが、これに限らない。例えば、通信ユニット２０の動作可能状態を維持するよりも、ブザーユニット１０にブザーを鳴動させることを優先してもよく、通信ユニット残量が通信ユニット残量閾値以下の場合であっても、通信ユニット制御部２９が、通信ユニット２０に蓄積されている電力に基づいてブザーユニット１０に充電するようにしてもよい。
【００６３】
また、通信ユニット２０の動作可能状態を維持することを優先するか、ブザーユニット１０にブザーを鳴動させることを優先するかについて、ユーザから予め選択を受け付けてもよい。そして、通信ユニット制御部２９は、通信ユニット残量が通信ユニット残量閾値以下の場合に、選択結果に基づいて、通信ユニット２０からブザーユニット１０に充電するか否かを判定してもよい。
【００６４】
［第１の実施形態における効果］
以上のとおり、第１の実施形態に係る通信端末１は、通信ユニット制御部２９が、通信ユニット残量と、現在時刻又は通信ユニットの現在位置とに基づいて、第１電源部１１から第２電源部２１に供給する電力量又は第２電源部２１から第１電源部１１に供給する電力量を制御する。このようにすることで、通信端末１は、通信ユニット残量に余裕がある場合に、ブザーユニット１０に充電することができる。これにより、通信端末１は、ブザーが鳴動する可能性が高い時間又は場所において、ブザーを鳴動させるための電力を確保することができる。
【００６５】
＜第２の実施形態＞
［ブザーユニット１０も充電する電力量を制御する］
続いて、第２の実施形態について説明する。第２の実施形態は、ブザーユニット１０が、ブザーユニット１０から通信ユニット２０に供給する電力量を制御する点で第１の実施形態と異なる。以下、第１の実施形態と異なる部分について説明を行う。第１の実施形態と同じ部分については適宜説明を省略する。
【００６６】
図８は、第２の実施形態に係る通信端末１の構成を示す図である。
第２の実施形態において、ブザーユニット１０は、第１電源部１１から第２電源部２１に供給する電力量を制御するブザーユニット制御部１３をさらに備える。
【００６７】
ブザーユニット制御部１３は、第１電源部１１から出力される電圧に基づいて、ブザーユニット残量を検出する。ブザーユニット制御部１３は、ブザーユニット残量がブザーユニット残量閾値よりも大きい場合、通信ユニット制御部２９に、ブザーユニット１０が通信ユニット２０に対して電力供給が可能であることを示す通知情報を通知する。通知情報には、ブザーユニット１０が供給可能な電力量を示す情報が含まれている。
【００６８】
通信ユニット制御部２９は、通知情報を受信した場合において、通信ユニット残量が、通信ユニット残量閾値よりも小さいとき、ブザーユニット１０が供給可能な電力量に基づいて、第１電源部１１から第２電源部２１に供給する電力量を制御する。
【００６９】
また、ブザーユニット制御部１３は、通信ユニット残量を示す情報を通信ユニット制御部２９から受信する。ブザーユニット制御部１３は、通信ユニット残量が、通信ユニット２０を動作させることができる電力量に満たない状態において、鳴動部１２がブザーを鳴動する場合に、第１電源部１１から第２電源部２１に電力を供給する。例えば、ブザーユニット制御部１３は、通信ユニット２０の充電切替部２２を制御することにより、第１電源部１１から第２電源部２１に電力を供給するようにしてもよい。
【００７０】
通信ユニット制御部２９は、鳴動部１２がブザーを鳴動している場合に、第１電源部１１から第２電源部２１に電力が供給されると、第２電源部２１に供給された電力を用いて、ブザーが鳴動した旨を示す情報と、現在位置を示す位置情報とを含むメッセージを、ユーザの親や警備会社（所定の宛先）に送信する。
【００７１】
［第２の実施形態における効果］
以上のとおり、第２の実施形態に係る通信端末１は、ブザーユニット制御部１３の制御によって、通信ユニット残量が、通信ユニット２０を動作させることができる電力量に満たない状態において、第１電源部１１から第２電源部２１に電力を供給する。このようにすることで、通信端末１は、通信ユニット２０を動作可能状態に回復させ、ブザーが鳴動したことをユーザの親や警備会社等に通知することができる。
【００７２】
＜第３の実施形態＞
［外部通信端末の制御に応じて充電を制御する］
続いて、第３の実施形態について説明する。第１の実施形態では、通信端末１は、現在時刻又は通信端末１の現在位置に基づいて充電を制御した。これに対して、第３の実施形態では、通信端末１が、現在時刻又は通信端末１の現在位置と、外部通信端末において設定されたスケジュール情報とに基づいて、充電を制御する点で第１の実施形態と異なる。
【００７３】
図９は、第３の実施形態に係る通信システムＳの構成を示す図である。図９に示すように、通信システムＳは、通信端末１と、外部通信端末２とを備える。ここで、外部通信端末２は、例えば、通信端末１のユーザの親が使用する端末である。通信端末１と外部通信端末２とは、携帯電話回線やインターネット等の通信ネットワークＮを介して通信可能に接続されている。
【００７４】
第３の実施形態において、通信ユニット制御部２９は、通信端末１のユーザのスケジュールを示すスケジュール情報を、通信ネットワークＮを介して外部通信端末２から受信する。スケジュール情報には、通信端末１のユーザの行動予定を示す情報として、少なくとも、ユーザが行動予定に対応する位置を示す位置情報と、時間を示す時間情報と、行動予定の名称とが少なくとも含まれている。なお、通信ユニット制御部２９は、通信ネットワークＮを介して外部通信端末２からスケジュール情報を受信したが、これに限らない。例えば、通信ユニット制御部２９は、ネットワーク上のサーバに対して外部通信端末２が登録したスケジュール情報を当該サーバから受信したり、Ｂｌｕｅｔｏｏｔｈ（登録商標）等の近距離無線通信によって、外部通信端末２からスケジュール情報を受信したりしてもよい。
【００７５】
通信ユニット制御部２９は、スケジュール情報が示す通信端末１のユーザの行動予定と現在時刻又は現在位置とに基づいて、第１電源部１１から第２電源部２１に供給する電力量又は第２電源部２１から第１電源部１１に供給する電力量を制御する。例えば、通信ユニット制御部２９は、現在時刻が、スケジュール情報の行動予定が示す予定開始時刻又は予定終了時刻になった時点、又は、現在位置がスケジュール情報の行動予定が示す位置になった時点で、第１電源部１１から第２電源部２１に供給する電力量又は第２電源部２１から第１電源部１１に供給する電力量を制御する。
【００７６】
なお、上述の説明では、通信ユニット制御部２９が、第１電源部１１から第２電源部２１に供給する電力量又は第２電源部２１から第１電源部１１に供給する電力量を制御したが、外部通信端末２において、当該電力量を制御するようにしてもよい。
【００７７】
この場合、通信ユニット制御部２９は、現在時刻が所定の時刻になった時点、又は通信端末１の現在位置が所定の位置になった時点において、無線部２５に、通信ネットワークＮを介して、通信ユニット残量及びブザーユニット残量を示す情報を外部通信端末２に送信させる。
【００７８】
外部通信端末２は、生成部として機能し、受信した通信ユニット残量及びブザーユニット残量を示す情報に基づいて、第１電源部１１から第２電源部２１に供給する電力量又は第２電源部２１から第１電源部１１に供給する電力量の制御に用いられる制御情報を生成し、当該制御情報を通信端末１に送信する。ここで、外部通信端末２は、通信ユニット残量、ブザーユニット残量、及びスケジュール情報に基づいて制御情報を生成してもよい。
【００７９】
通信ユニット制御部２９は、無線部２５が、外部通信端末２から制御情報を受信すると、当該制御情報に基づいて、第１電源部１１から第２電源部２１に供給する電力量又は第２電源部２１から第１電源部１１に供給する電力量を制御する。このようにすることで、通信ユニット制御部２９の電力量の制御に係る処理を軽減することができる。
【００８０】
［第３の実施形態における効果］
以上のとおり、第３の実施形態に係る通信端末１は、スケジュール情報が示す通信端末１のユーザの行動予定と現在時刻又は現在位置とに基づいて、第１電源部１１から第２電源部２１に供給する電力量又は第２電源部２１から第１電源部１１に供給する電力量を制御する。このようにすることで、通信端末１は、ユーザの親が設定したスケジュールに基づいて充電制御を行うことができる。
【００８１】
＜第４の実施形態＞
［外部通信端末２との距離に応じて充電を制御する］
続いて、第４の実施形態について説明する。第４の実施形態では、通信端末１は、ユーザの親等が使用する外部通信端末２との距離に基づいて充電をする点で第１の実施形態と異なる。第４の実施形態に係る通信端末１の機能は、例えば、通信端末１のユーザが、当該ユーザの親とともに外出する場合に利用される。
【００８２】
第４の実施形態において、通信ユニット制御部２９は、通信端末１のユーザの親が所持する外部通信端末２から位置情報を受信すると、当該位置情報が示す位置と、通信端末１の現在位置とに基づいて、通信端末１と、外部通信端末２との距離を算出する。
【００８３】
通信ユニット制御部２９は、通信端末１と、外部通信端末２との距離が所定距離（例えば、５００ｍ）より大きくなると、第１電源部１１から第２電源部２１に供給する電力量又は第２電源部２１から第１電源部１１に供給する電力量を制御する。例えば、通信ユニット制御部２９は、通信端末１と外部通信端末２との距離が所定距離より大きくなったことに応じて、通信端末１のユーザが、親とはぐれ、危険な状態になったものと判定して、第２電源部２１から第１電源部１１に電力を供給するように制御してもよい。このようにすることで、通信端末１は、ユーザが危険な状態になった場合において確実にブザーを鳴動することができる。
【００８４】
さらに、通信ユニット制御部２９は、通信端末１と外部通信端末２との距離が所定距離よりも大きくなった場合において、所定時間（例えば、１時間）が経過した場合には、通信端末１のユーザが誘拐された可能性があると判定し、第１電源部１１から第２電源部２１に供給するようにしてもよい。このようにすることで、通信端末１は、通信ユニット残量を増加させ、外部通信端末２に対して、通信端末１の位置情報を長期間にわたって提供することができる。ここで、通信ユニット制御部２９は、算出した距離が大きくなればなるほど、電力量の制御を実行する頻度を高くしてもよい。
【００８５】
［第４の実施形態における効果］
以上のとおり、第４の実施形態に係る通信端末１は、外部通信端末２との距離に応じて充電を制御するので、ユーザの親との位置関係に応じて最適な充電制御を行うことができる。
【００８６】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００８７】
１・・・通信端末、１０・・・ブザーユニット、１１・・・第１電源部、１２・・・鳴動部、１２１・・・ブザー、１２２・・・検出部、１２３・・・鳴動制御部、１３・・・ブザーユニット制御部、２０・・・通信ユニット、２１・・・第２電源部、２２・・・充電切替部、２３・・・表示部、２４・・・入力部、２５・・・無線部、２６・・・記憶部、２７・・・取得部、２８・・・検出部、２９・・・通信ユニット制御部、２・・・外部通信端末、Ｓ・・・通信システム
【要約】      （修正有）【課題】ブザーが鳴動する可能性が高い時間又は場所において、ブザーを鳴動させるための電力を確保する。【解決手段】通信端末１は、通信ユニット２０とブザーユニット１０とを備える。ブザーユニット１０は、少なくとも商用電源から供給された電力に基づいて充電される第１電源部１１と、ブザーを鳴動する鳴動部１２とを有する。通信ユニット２０は、少なくともブザーユニット１０から供給された電力に基づいて充電される第２電源部２１と、第２電源部２１に蓄積された電力の残量である通信ユニット残量を検出する検出部２８と、通信ユニット２０の位置及び現在時刻を取得する取得部２７と、通信ユニット残量と現在時刻又は通信ユニット２０の現在位置とに基づいて、第１電源部１１から第２電源部２１に供給する電力量又は第２電源部２１から第１電源部１１に供給する電力量を制御する通信ユニット制御部２９とを有する。【選択図】図３【図１】
0006010166.tif 000002
【図２】
0006010166.tif 000003
【図３】
0006010166.tif 000004
【図４】
0006010166.tif 000005
【図５】
0006010166.tif 000006
【図６】
0006010166.tif 000007
【図７】
0006010166.tif 000008
【図８】
0006010166.tif 000009
【図９】
0006010166.tif 000010